【手続補正書】
【提出日】平成29年10月24日(2017.10.24)
【手続補正１】
【補正対象書類名】特許請求の範囲
【補正対象項目名】全文
【補正方法】変更
【補正の内容】
【特許請求の範囲】
【請求項１】
分析物監視デバイスの適応型構成のための方法であって、
第１の報告形式特性を含む第１の報告形式を使用して、ホストの生理学的情報に関する第１の報告を伝送することと、
前記ホストの少なくとも１つの挙動または状況特性を含む、挙動または状況情報のうちの少なくとも１つを判定することと、
前記少なくとも１つの挙動及び／または状況特性を、１つ以上の挙動または状況基準と比較することと、
前記比較に少なくとも部分的に基づいて、前記報告形式を調節することであって、前記報告形式は、前記第１の報告形式特性とは異なる第２の報告形式特性を含むことと、
前記第２の報告形式を使用して、生理学的情報に関する第２の報告を伝送することと、
を含む、前記方法。
【請求項２】
前記第１の報告は、ある期間にわたる前記生理学的情報の傾向グラフを含む、請求項１に記載の前記方法。
【請求項３】
前記挙動または状況情報を判定することは、
前記ホストと関連するデータを含むメッセージをセンサから受信することと、
前記メッセージ及び前記センサに基づいて、特性エクストラクタを特定することと、
前記特定された特性エクストラクタを介して、前記受信したメッセージに基づいて、前記少なくとも１つの挙動または状況特性を生成することと、
前記生成された特性を前記挙動または状況情報と関連付けることと、
を含む、請求項１または２に記載の前記方法。
【請求項４】
前記挙動または状況情報を判定することは、
前記ホストの生理学的状態と関連する挙動または状況を示す値を、事前特定済みの入力からキャプチャすることと、
前記事前特定済みの入力から受信される追加の値を周期的に記憶することであって、ユーザ特異的な事前特定済みの入力値の記録が作成されることと、
経時的にキャプチャされる前記ユーザ特異的な事前特定済みの入力値の記録に基づいて、前記ホストに関する挙動または状況情報を周期的に判定することと、
を含む、請求項１〜３のいずれかに記載の前記方法。
【請求項５】
前記ホストに関する前記判定された挙動または状況情報を伝送することをさらに含む、請求項１〜４のいずれかに記載の前記方法。
【請求項６】
前記事前特定済みの入力は、血糖計、体温計、加速度計、カメラ、マイクロフォン、クエリ処理エンジン、マシン間の通信用に構成される電子デバイス、または電子患者記録のうちの少なくとも１つを含む、請求項４または５のいずれかに記載の前記方法。
【請求項７】
追加の値を周期的に記憶することは、特定の追加の値がいつ記憶されたかを示すタイムスタンプを記憶することを含む、請求項４〜６のいずれかに記載の前記方法。
【請求項８】
前記生理学的状態は、糖尿病、肥満、栄養失調、活動亢進、鬱、受胎能のうちの１つ以上を含む、請求項４〜７のいずれかに記載の前記方法。
【請求項９】
前記ホストに関する挙動または状況情報を判定することは、
前記記録に含まれる複数の事前特定済みの入力値のうちの１つを選択することと、
前記選択された入力値及び前記選択された値を提供する入力と、複数の挙動または状況と関連する識別値との比較に基づいて、１つ以上の挙動または状況を特定することと、
を含む、請求項４〜８のいずれかに記載の前記方法。
【請求項１０】
前記ホストに関する挙動または状況情報を判定することは、前記記録に含まれる前記事前特定済みの入力値を処理することを含む、請求項４〜９のいずれかに記載の前記方法。
【請求項１１】
前記値を処理することは、前記値の傾向を特定することを含む、請求項４〜１０のいずれかに記載の前記方法。
【請求項１２】
前記特性を１つ以上の挙動または状況基準と比較することは、前記特性を、目標と関連する挙動または状況基準と比較することを含む、請求項１〜１１のいずれかに記載の前記方法。
【請求項１３】
前記目標は、前記デバイスとの対話、標的内の時間の量、標的外の時間の量、デバイスの位置、データ保持時間、較正頻度、標準偏差、パターン管理、ある特定のスクリーンで費やした時間、低い状態で費やした時間、高い状態で費やした時間、変化率が高かった時間、または変化率が低かった時間からなる群から選択される、請求項１２に記載の前記方法。
【請求項１４】
前記特性を１つ以上の挙動または状況基準と比較することは、前記特性を、インターフェース適応と関連する挙動または状況基準と比較することを含む、請求項１〜１３のいずれかに記載の前記方法。
【請求項１５】
前記インターフェース適応は、警告頻度、警告音量、警告音調、表示フォント、表示フォント寸法、表示フォント色、メッセージ送達先アドレス、メッセージ送達先電話番号、メニュー項目の一覧、または分析物監視デバイスの操作設定のうちの少なくとも１つを含む、請求項１４に記載の前記方法。
【請求項１６】
前記調節を特定するメッセージを伝送することと、
前記調節の確認を受信すると、後続の報告のための前記第２の報告形式を起動することと、
前記調節の否認を受信するか、または前記メッセージに対する応答を受信しない場合、後続の報告のための前記第１の報告形式を起動することと、
をさらに含む、請求項１〜１５のいずれかに記載の前記方法。
【請求項１７】
前記第１の報告は、前記第２の報告と共通の目的地に伝送される、請求項１〜１６のいずれかに記載の前記方法。
【請求項１８】
前記第１の報告は、第１の目的地に伝送され、前記第２の報告は、第２の目的地に伝送される、請求項１〜１７のいずれかに記載の前記方法。
【請求項１９】
前記異なる第１及び第２の報告形式特性は、警報の頻度、音調、または音量のうちの少なくとも１つを含む、請求項１〜１８のいずれかに記載の前記方法。
【請求項２０】
前記異なる第１及び第２の報告形式特性は、傾向グラフの解像度、明るさの強度、グラフの色、インターフェースの図像、インターフェースの記号体系、または表示される情報の倍率レベルのうちの少なくとも１つを含む、請求項１〜１９のいずれかに記載の前記方法。
【請求項２１】
前記異なる第１及び第２の報告形式特性は、傾向グラフの配向、傾向グラフの範囲、グラフのカラースキーム、または動的傾向グラフのうちの少なくとも１つを含む、請求項１〜２０のいずれかに記載の前記方法。
【請求項２２】
前記異なる第１及び第２の報告形式特性は、報告頻度、特定の種類の警告の数、アバター補助の量、振動強度、振動頻度、または表示するデータの量のうちの少なくとも１つを含む、請求項１〜２１のいずれかに記載の前記方法。
【請求項２３】
前記異なる第１及び第２の報告形式特性は、前記報告のデフォルトの表示、状況に基づく報告のための裁量のレベル、報告のための入力構成、グルコース加速情報、予測モード時間、または今後のモード時間／入力のうちの少なくとも１つを含む、請求項１〜２２のいずれかに記載の前記方法。
【請求項２４】
前記異なる第１及び第２の報告形式特性は、スクリーンの順序、メニュー項目の順序、非表示項目の順序、伝送される情報の頻度、または伝送される情報の内容のうちの少なくとも１つを含む、請求項１〜２３のいずれかに記載の前記方法。
【請求項２５】
連続的監視デバイス、患者記録システム、スマートフォン、またはソーシャルメディアインターネットサイトのうちの少なくとも１つへの前記伝送である、請求項１〜２４のいずれかに記載の前記方法。
【請求項２６】
前記伝送は、連続的監視デバイス、患者記録システム、スマートフォン、またはソーシャルメディアインターネットサイトのうちの少なくとも１つにおけるヒト検出可能インターフェースを介して伝送することを含む、請求項１〜２５のいずれかに記載の前記方法。
【請求項２７】
ホストにおけるグルコース濃度を監視するため及び前記ホストにインスリンを送達するための一体型システムであって、
ホストにおけるグルコース濃度を実質的に連続的に測定し、前記ホストにおける前記グルコース濃度と関連する連続的なセンサデータを提供するように構成される、連続的グルコースセンサと、
前記ホストにインスリンを送達するように構成され、前記連続的グルコースセンサに操作可能に接続される、インスリン送達デバイスと、
請求項１〜２６に記載の前記方法のうちのいずれかを行うように構成される、プロセッサモジュールと、
を備える、前記一体型システム。
【請求項２８】
ホストにおけるグルコース濃度を監視するための電子デバイスであって、
ホストにおけるグルコース濃度を実質的に連続的に測定し、前記ホストにおける前記グルコース濃度と関連する連続的なセンサデータを提供するように構成される、連続的グルコースセンサと、
請求項１〜２６に記載の前記方法のうちのいずれかを行うように構成される、プロセッサモジュールと、
を備える、前記電子デバイス。
【請求項２９】
ホストにインスリンを送達するための電子デバイスであって、
前記ホストにインスリンを送達するように構成され、前記連続的グルコースセンサに操作可能に接続される、インスリン送達デバイスと、
請求項１〜２６に記載の前記方法のうちのいずれかを行うように構成される、プロセッサモジュールと、
を備える、前記電子デバイス。
【請求項３０】
分析物監視デバイスの適応型構成のためのシステムであって、
ある期間にわたってホストに関する状況情報、挙動情報、または生理学的情報のうちの少なくとも１つを受信するように構成される、入力受信器と、
経時的に受信した情報に少なくとも部分的に基づいて状況または挙動を特定するように構成される、入力プロセッサと、
請求項１〜２６のいずれかに記載の前記方法を使用して前記特定された状況または挙動に基づいて、分析物監視デバイスに適応型報告を提供するように構成される、適応エンジンと、
を備える、前記システム。